(57)【要約】【課題】本発明は、同時給排形換気扇取付装置を取り付ける建物の梁の位置等のレイアウトに応じて枠体の排気ダクト接続口と給気ダクト接続口を設ける面を変更する必要がなく、生産工数および生産コストを下げることを目的とするものである。【解決手段】同時給排形換気扇取付装置１は、枠体３と、排気吸込口７および給気吐出口６と、排気ダクト接続口９および給気ダクト接続口８と、排気吸込口７と前記排気ダクト接続口９とを連通する排気風路１１と、給気吐出口６と前記給気ダクト接続口８とを連通する給気風路１０と、排気風路１１と給気風路１０を仕切る仕切板１３とを備え、排気ダクト接続口９と給気ダクト接続口８は、枠体３の右側面１４、左側面１５、上面１６、下面１７のいずれか２以上の面に設けられ、排気ダクト接続口９と給気ダクト接続口８の近傍に排気ダクト接続口９と給気ダクト接続口８を選択的に閉成する閉成板１８を設けたものである。【選択図】図１
2012211728.tif 000002
【特許請求の範囲】
【請求項１】
建物の室内側の壁面に設けられる箱状の枠体と、この枠体の換気扇取付面に取り付けた同時給排形換気扇の排気部および給気部と各々連通するように枠体の換気扇取付面に設けた排気吸込口および給気吐出口と、前記枠体に設けた排気ダクト接続口および給気ダクト接続口と、前記排気吸込口と前記排気ダクト接続口とを連通する排気風路と、前記給気吐出口と前記給気ダクト接続口とを連通する給気風路と、前記排気風路と給気風路を仕切る仕切板と、を備え、前記排気ダクト接続口と給気ダクト接続口は、前記枠体の右側面、左側面、上面、下面のいずれか２以上の面に設けられ、前記排気ダクト接続口と給気ダクト接続口の近傍に排気ダクト接続口と給気ダクト接続口を選択的に閉成する閉成板を設けた同時給排形換気扇取付装置。
【請求項２】
排気ダクト接続口と給気ダクト接続口は、枠体の右側面、左側面、上面、下面のいずれかの同一面に隣接して設けられ、取り付ける壁面と平行な面または壁面と直交する面により仕切られた請求項１記載の同時給排形換気扇取付装置。
【請求項３】
取り付ける壁面と平行な面により仕切られた排気ダクト接続口と給気ダクト接続口と、取り付ける壁面と直交する面により仕切られた排気ダクト接続口と給気ダクト接続口の両方を有する請求項１または２記載の同時給排形換気扇取付装置。
【請求項４】
閉成板の周縁部の厚みを薄く形成し、閉成板に衝撃を与えることにより周縁部が切断される構成とした請求項１〜３のいずれか一つに記載の同時給排形換気扇取付装置。
【発明の詳細な説明】
【技術分野】
【０００１】
本発明は、建物の壁面に形成された既存の貫通口に同時給排形換気扇を後付けで取り付けることを目的とする同時給排形換気扇取付装置に関するものである。
【背景技術】
【０００２】
従来、この種の同時給排形換気扇取付装置は、以下のような構成となっていた。
【０００３】
すなわち、建物の室内側の壁面に設けられる箱状の枠体と、この枠体の換気扇取付面に取り付けた同時給排形換気扇の排気部および給気部と各々連通するように枠体の換気扇取付面に設けた排気吸込口および給気吐出口と、前記枠体に設けた排気ダクト接続口および給気ダクト接続口と、前記排気吸込口と前記排気ダクト接続口とを連通する排気風路と、前記給気吐出口と前記給気ダクト接続口とを連通する給気風路と、前記排気風路と給気風路を仕切る仕切板と、を備える構成となっていた。
【０００４】
このような同時給排形換気扇取付装置を用いて取付ける同時給排形換気扇の先行文献として下記特許文献１がある。また、換気扇取付装置の先行文献として下記特許文献２がある。
【先行技術文献】
【特許文献】
【０００５】
【特許文献１】特開平９−４９０２号公報
【特許文献２】特開２００６−２８４１１３号公報
【発明の概要】
【発明が解決しようとする課題】
【０００６】
上記従来例における課題は、同時給排形換気扇取付装置を取り付ける際は、ダクトを建物の梁を避けて屋内の壁面に沿って設置する必要があるため、建物の梁等のレイアウトに応じて、枠体の排気ダクト接続口と給気ダクト接続口を設ける面を変更する必要があり、生産工数および生産コストが多くかかるという課題があった。また、建物の梁の寸法や位置を測定する際に測定誤りが生じることもあり、誤った測定結果に基づいて同時給排形換気扇取付装置の枠体の排気ダクト接続口と給気ダクト接続口を設ける面を変更した場合、設置する建物の梁等のレイアウトに適合しないという課題があった。
【０００７】
そこで本発明は、同時給排形換気扇取付装置を取り付ける建物の梁の位置等のレイアウトに応じて枠体の排気ダクト接続口と給気ダクト接続口を設ける面を変更する必要がなく、生産工数および生産コストを下げることができる同時給排形換気扇取付装置を提供することを目的とする。
【課題を解決するための手段】
【０００８】
そして、この目的を達成するために、本発明は、建物の室内側の壁面に設けられる箱状の枠体と、この枠体の換気扇取付面に取り付けた同時給排形換気扇の排気部および給気部と各々連通するように枠体の換気扇取付面に設けた排気吸込口および給気吐出口と、前記枠体に設けた排気ダクト接続口および給気ダクト接続口と、前記排気吸込口と前記排気ダクト接続口とを連通する排気風路と、前記給気吐出口と前記給気ダクト接続口とを連通する給気風路と、前記排気風路と給気風路を仕切る仕切板と、を備え、前記排気ダクト接続口と給気ダクト接続口は、前記枠体の右側面、左側面、上面、下面のいずれか２以上の面に設けられ、前記排気ダクト接続口と給気ダクト接続口の近傍に排気ダクト接続口と給気ダクト接続口を選択的に閉成する閉成板を設けたものであり、これにより初期の目的を達成するものである。
【発明の効果】
【０００９】
以上のように本発明は、建物の室内側の壁面に設けられる箱状の枠体と、この枠体の換気扇取付面に取り付けた同時給排形換気扇の排気部および給気部と各々連通するように枠体の換気扇取付面に設けた排気吸込口および給気吐出口と、前記枠体に設けた排気ダクト接続口および給気ダクト接続口と、前記排気吸込口と前記排気ダクト接続口とを連通する排気風路と、前記給気吐出口と前記給気ダクト接続口とを連通する給気風路と、前記排気風路と給気風路を仕切る仕切板と、を備え、前記排気ダクト接続口と給気ダクト接続口は、前記枠体の右側面、左側面、上面、下面のいずれか２以上の面に設けられ、前記排気ダクト接続口と給気ダクト接続口の近傍に排気ダクト接続口と給気ダクト接続口を選択的に閉成する閉成板を設けたものであり、これにより、同時給排形換気扇取付装置を取り付ける建物の梁の位置等のレイアウトに応じて枠体の排気ダクト接続口と給気ダクト接続口を設ける面を変更する必要がなく、生産工数および生産コストを下げることができるものである。
【００１０】
すなわち、本発明によれば、取り付ける建物の梁の位置等のレイアウトに応じて、枠体の右側面、左側面、上面、下面のいずれか２以上の面に設けた排気ダクト接続口と給気ダクト接続口を選択して、排気ダクトと給気ダクトをその選択した排気ダクト接続口と給気ダクト接続口に各々差し込んで接続することができ、不要な排気ダクト接続口と給気ダクト接続口は接続口の近傍に設けた閉成板により閉成するので、同時給排形換気扇取付装置を取り付ける建物の梁の位置等のレイアウトに応じて枠体の排気ダクト接続口と給気ダクト接続口を設ける面を変更する必要がなく、生産工数および生産コストを下げることができるのである。
【図面の簡単な説明】
【００１１】
【図１】実施の形態１における同時給排形換気扇取付装置を示す図
【図２】実施の形態１における同時給排形換気扇取付装置を示す図
【図３】実施の形態１における同時給排形換気扇取付装置を示す図
【図４】実施の形態２における同時給排形換気扇取付装置を示す図
【図５】実施の形態３における同時給排形換気扇取付装置を示す図
【図６】実施の形態３における同時給排形換気扇取付装置を示す図
【発明を実施するための形態】
【００１２】
本発明の請求項１記載の同時給排形換気扇取付装置は、建物の室内側の壁面に設けられる箱状の枠体と、この枠体の換気扇取付面に取り付けた同時給排形換気扇の排気部および給気部と各々連通するように枠体の換気扇取付面に設けた排気吸込口および給気吐出口と、前記枠体に設けた排気ダクト接続口および給気ダクト接続口と、前記排気吸込口と前記排気ダクト接続口とを連通する排気風路と、前記給気吐出口と前記給気ダクト接続口とを連通する給気風路と、前記排気風路と給気風路を仕切る仕切板と、を備え、前記排気ダクト接続口と給気ダクト接続口は、前記枠体の右側面、左側面、上面、下面のいずれか２以上の面に設けられ、前記排気ダクト接続口と給気ダクト接続口の近傍に排気ダクト接続口と給気ダクト接続口を選択的に閉成する閉成板を設けたものである。
【００１３】
これにより、取り付ける建物の梁の位置等のレイアウトに応じて、枠体の右側面、左側面、上面、下面のいずれか２以上の面に設けた排気ダクト接続口と給気ダクト接続口を選択して、排気ダクトと給気ダクトをその選択した排気ダクト接続口と給気ダクト接続口に各々差し込んで接続することができ、不要な排気ダクト接続口と給気ダクト接続口は接続口の近傍に設けた閉成板により閉成するので、同時給排形換気扇取付装置を取り付ける建物の梁の位置等のレイアウトに応じて枠体の排気ダクト接続口と給気ダクト接続口を設ける面を変更する必要がなく、生産工数および生産コストを下げることができるという効果を奏する。
【００１４】
本発明の請求項２記載の同時給排形換気扇取付装置は、排気ダクト接続口と給気ダクト接続口は、枠体の右側面、左側面、上面、下面のいずれかの同一面に隣接して設けられ、取り付ける壁面と平行な面または壁面と直交する面により仕切られたものである。
【００１５】
従って、排気ダクト接続口と給気ダクト接続口は、同一面に隣接して設けられるため、給気風路と排気風路とが平行一対状に並設され、分離壁部を介して分離された給排気一体型ダクトを用いて、同時給排形換気扇取付装置に給気および排気することができる。
【００１６】
すなわち、給排気一体型ダクトの排気風路を排気ダクト接続口に、給排気一体型ダクトの給気風路を給気ダクト接続口に、各々接続することができるので、排気ダクトと給気ダクトが一体に形成されているため、排気ダクトと給気ダクトを各々別個に設けるより外観が煩雑にならないという効果、および、容易に施工できるという効果を奏する。
【００１７】
本発明の請求項３記載の同時給排形換気扇取付装置は、取り付ける壁面と平行な面により仕切られた排気ダクト接続口と給気ダクト接続口と、取り付ける壁面と直交する面により仕切られた排気ダクト接続口と給気ダクト接続口と、の両方を有するものである。
【００１８】
これにより、建物の壁面に形成された貫通口が１つの場合および２つの場合のいずれにの場合にも、同時給排形換気扇取付装置の排気ダクト接続口と給気ダクト接続口の仕様を変更することなく取り付けることができる。
【００１９】
すなわち、建物の壁面に形成された貫通口が１つの場合は、取り付ける壁面と直交する面により仕切られた排気ダクト接続口と給気ダクト接続口に接続することにより、給気風路と排気風路とが、同時給排形換気扇取付装置を取付ける壁面に対して左右に平行一対状に並設された給排気一体型ダクトを用いることができるので、左右の両側面の一方に設けた給気口から給気し、他方に設けた排気口から排気する同時給排形屋外フードを用いて、給排気一体型ダクトの給気口を同時給排形屋外フードの給気口に接続し、給排気一体型ダクトの排気口を屋外フードの排気口に接続することにより、給気する空気と排気する空気とが混合することなく１つの貫通口から給気と排気を同時に行うことができる。
【００２０】
また、建物の壁面に形成された貫通口が２つの場合は、取り付ける壁面と平行な面により仕切られた排気ダクト接続口と給気ダクト接続口に接続することにより、給気風路と排気風路とが、同時給排形換気扇取付装置を取付ける壁面に対して近い側と遠い側に平行一対状に並設された給排気一体型ダクトを用いることができるので、２つの貫通口の一方である第一の貫通口に給気用屋外フードを設け、他方の第二の貫通口に排気用屋外フードとを各々設け、給排気一体型ダクトの給気口を給気用屋外フードの給気口に接続し、給排気一体型ダクトの排気口を排気用屋外フードの排気口に接続することにより、給気する空気と排気する空気とを混合することなく第一の貫通口から吸気、および第二の貫通口から排気、を同時に行うことができる。
【００２１】
本発明の請求項４記載の同時給排形換気扇取付装置は、閉成板の周縁部の厚みを薄く形成し、閉成板に衝撃を与えることにより周縁部が切断される構成としたものである。
【００２２】
すなわち、閉成板の周縁部をパンチで所定板厚まで半抜き状態とし、先端部が鋭い工具にて閉成板の周縁部に衝撃を与えることにより、簡単に閉成板の周縁部を切断することができるので、建物の梁等のレイアウトに応じて、必要な排気ダクト接続口と給気ダクト接続口を開口することができる。その結果、容易に加工することができ、閉成板を部品数を増加することなく設けられるという効果を奏する。
【００２３】
（実施の形態１）
以下、本発明の一実施形態を添付図面を用いて説明する。
【００２４】
図１および図２に示すごとく、本実施の形態の同時給排形換気扇取付装置１は、建物の室内側の壁面２に設けられる箱状の枠体３と、この枠体３の換気扇取付面４に取り付けた同時給排形換気扇５０の排気部５１および給気部５２と各々連通するように枠体３の換気扇取付面４に設けた排気吸込口７および給気吐出口６と、前記枠体３に設けた排気ダクト接続口９および給気ダクト接続口８と、前記排気吸込口７と前記排気ダクト接続口９とを連通する排気風路１１と、前記給気吐出口６と前記給気ダクト接続口８とを連通する給気風路１０と、前記排気風路１１と給気風路１０を仕切る仕切板１３と、を備え、前記排気ダクト接続口９と給気ダクト接続口８は、同時給排形換気扇取付装置１を取付ける室内側の壁面２に向う方向を基準として、前記枠体３の右側面１４、左側面１５、上面１６、下面１７のいずれか２以上の面に設けられ、前記排気ダクト接続口９と給気ダクト接続口８の近傍に排気ダクト接続口９と給気ダクト接続口８を選択的に閉成する閉成板１８を設けている。
【００２５】
枠体３は、横長の箱状であり、その前面は、同時給排形換気扇５０を取付けるための換気扇取付面４となっている。枠体３の背面は、同時給排形換気扇取付装置１を壁に取り付けるための壁取付面５となっている。換気扇取付面４には、同時給排形換気扇５０から排出される排気を吸込むための排気吸込口７と、同時給排形換気扇５０に供給される給気を吐出するための給気吐出口６と、が設けられている。枠体３の排気吸込口７は、同時給排形換気扇５０の排気部５１と連通するように接続され、枠体３の給気吐出口６は、同時給排形換気扇５０の給気部５２と連通するように接続される。
【００２６】
排気の流れについて説明する。同時給排形換気扇５０の排気部５１から排出された排気は、同時給排形換気扇５０の排気部５１、同時給排形換気扇取付装置１の排気吸込口７、排気風路１１、排気ダクト接続口９から、排気ダクト、排気ダクトが接続された壁の第二の貫通口６２、第二の貫通口６２に設けた排気用屋外フード９０の排気口９１から、屋外に排出される。
【００２７】
給気の流れについて説明する。給気用屋外フード８０の給気口８１から吸込まれた給気は、給気用屋外フード８０が設けられた壁の第一の貫通口６１、第一の貫通口６１に接続された給気ダクト、給気ダクトが接続された同時給排形換気扇取付装置１の給気ダクト接続口８、給気風路１０、給気吐出口６、同時給排形換気扇５０の給気部５２から同時給排形換気扇５０に給気される。
【００２８】
同時給排形換気扇取付装置１の排気ダクト接続口９と、給気ダクト接続口８は、枠体３の右側面１４、左側面１５、上面１６、下面１７のいずれか２以上の面に、設けられる。本実施形態では、右側面１４と、下面１７とに、排気ダクト接続口９と、給気ダクト接続口８を設けている。
【００２９】
これにより、図１および図２に示すように、取り付ける建物の梁の位置等のレイアウトに応じて、枠体３の右側面１４、左側面１５、上面１６、下面１７のいずれか２以上の面に設けた排気ダクト接続口９と給気ダクト接続口８を選択して、排気ダクトと給気ダクトをその選択した排気ダクト接続口９と給気ダクト接続口８に各々差し込んで接続することができる。
【００３０】
同時給排形換気扇取付装置１の排気ダクト接続口９と給気ダクト接続口８の近傍に、排気ダクト接続口９と給気ダクト接続口８を選択的に閉成する閉成板１８を設けている。
【００３１】
これにより、不要な排気ダクト接続口９と給気ダクト接続口８は接続口の近傍に設けた閉成板１８により閉成するので、同時給排形換気扇取付装置１を取り付ける建物の梁の位置等のレイアウトに応じて枠体３の排気ダクト接続口９と給気ダクト接続口８を設ける面を変更する必要がなく、生産工数および生産コストを下げることができるという効果を奏する。
【００３２】
本実施の形態では、図１および図２に示すように、排気ダクト接続口９と給気ダクト接続口８は、枠体３の右側面１４と、下面１７の同一面に隣接して設けられ、取り付ける壁面と平行な面１９により仕切られたものである。
【００３３】
これにより、給気風路４２と排気風路４３とが平行一対状に並設され、分離壁部４１を介して分離された給排気一体型ダクト４０を用いて、同時給排形換気扇取付装置１に給気および排気することができる。
【００３４】
すなわち、給排気一体型ダクト４０の排気風路４３を排気ダクト接続口９に、給排気一体型ダクト４０の給気風路４２を給気ダクト接続口８に、各々接続することができるので、排気ダクトと給気ダクトが一体に形成されているため、排気ダクトと給気ダクトを各々別個に設けるより外観が煩雑にならないという効果、および、容易に施工できるという効果を奏する。
【００３５】
また、図３に示すように、排気ダクト接続口９と給気ダクト接続口８は、取り付ける壁面と直交する面２０により仕切られたものでもよい。
【００３６】
（実施の形態２）
本実施の形態の同時給排形換気扇取付装置は、図４に示すように、取り付ける壁面と平行な面１９により仕切られた排気ダクト接続口９と給気ダクト接続口８と、取り付ける壁面と直交する面２０により仕切られた排気ダクト接続口９と給気ダクト接続口８と、の両方を有するものである。
【００３７】
これにより、建物の壁面２に貫通口６０が１つ形成されている場合および建物の壁面２に２つ貫通口（第一の貫通口６１、第二の貫通口６２）が形成されている場合のいずれにも、施工することができる。
【００３８】
すなわち、建物の壁面２に貫通口６０が１つ形成されている場合は、取り付ける壁面と直交する面２０により仕切られた排気ダクト接続口９と給気ダクト接続口８に接続することにより、給気風路４２と排気風路４３とが、同時給排形換気扇取付装置１を取付ける壁面２に対して左右に平行一対状に並設された給排気一体型ダクト４０を用いて、同時給排形換気扇取付装置１に給気および排気する。建物の壁面２に形成された貫通口６０の屋外側には、同時給排形屋外フード７０を設ける。雨水や風が、屋外から貫通口６０を介して屋内に浸入するのを防ぐためである。給排気一体型ダクト４０に用いる同時給排形屋外フード７０は、同時給排形屋外フード７０の左右の両側面の一方に設けた給気口７１から給気し、他方に設けた排気口７２から排気する。同時給排形屋外フード７０の同一面に給気口７１と排気口７２を設けると、給気と排気が混合してしまうため、同時給排形屋外フード７０の左右の側面に別個に給気口７１と排気口７２を設けて、給気と排気が混合することを防止する。また、同時給排形屋外フード７０の上下の側面に給気口７１と排気口７２を設けると、同時給排形屋外フード７０の上の側面が開口するので、ここから雨水が浸入しやすくなるため、同時給排形屋外フード７０の左右の側面に給気口７１と排気口７２を設けて、雨水が浸入することを防止する。従って、給排気一体型ダクト４０の給気風路４２と排気風路４３とは、同時給排形換気扇取付装置１を取付ける壁面２に対して左右に平行一対状に並設されていると、同時給排形屋外フード７０の左右の側面に設けた給気口７１と排気口７２に、給気風路４２と排気風路４３とを各々接続して施工することができる。
【００３９】
一方、建物の壁面２に貫通口（第一の貫通口６１、第二の貫通口６２）が２つ形成されている場合は、取り付ける壁面と平行な面１９により仕切られた排気ダクト接続口９と給気ダクト接続口８に接続することにより、給気風路４２と排気風路４３とが、同時給排形換気扇取付装置１を取付ける壁面２に対して近い側と遠い側に平行一対状に並設された給排気一体型ダクト４０を用いる。建物の壁面２に形成された第一の貫通口６１、第二の貫通口６２の一方の屋外側には、給気用屋外フード８０を、他方の屋外側には、排気用屋外フード９０を設ける。雨水や風が、屋外から第一の貫通口６１、第二の貫通口６２を介して屋内に浸入するのを防ぐためである。給排気一体型ダクト４０の給気風路４２と排気風路４３とを屋内側で分岐し、第一の貫通口６１、第二の貫通口６２の一方を給排気一体型ダクト４０の給気風路４２に、他方を給排気一体型ダクト４０の排気風路４３に、各々接続する。
【００４０】
このように、取り付ける壁面と平行な面１９により仕切られた排気ダクト接続口９と給気ダクト接続口８と、取り付ける壁面と直交する面２０により仕切られた排気ダクト接続口９と給気ダクト接続口８と、の両方を有することにより、建物の壁面２に貫通口６０が１つ形成されている場合と、建物の壁面２に貫通口（第一の貫通口６１、第二の貫通口６２）が２つ形成されている場合のいずれにも、対応することができる。
【００４１】
（実施の形態３）
本実施の形態の同時給排形換気扇取付装置１は、図５および図６に示すように、閉成板１８の周縁部２１の厚みを薄く形成し、閉成板１８に先端部が鋭い工具にて衝撃を与えることにより周縁部２１が切断される構成としたものである。すなわち、閉成板１８の周縁部２１をパンチで半抜き状態とし、先端部が鋭い工具にて閉成板の周縁部２１に衝撃を与えることにより、簡単に閉成板１８の周縁部２１を切断することができるので、建物の梁等のレイアウトに応じて、必要な排気ダクト接続口９と給気ダクト接続口８を開口することができる。その結果、容易に加工することができ、閉成板１８を部品数を増加することなく設けられるという効果を奏する。
【産業上の利用可能性】
【００４２】
以上のように本発明にかかる同時給排形換気扇取付装置は、建物の室内側の壁面に設けられる箱状の枠体と、この枠体の換気扇取付面に取り付けた同時給排形換気扇の排気部および給気部と各々連通するように枠体の換気扇取付面に設けた排気吸込口および給気吐出口と、前記枠体に設けた排気ダクト接続口および給気ダクト接続口と、前記排気吸込口と前記排気ダクト接続口とを連通する排気風路と、前記給気吐出口と前記給気ダクト接続口とを連通する給気風路と、前記排気風路と給気風路を仕切る仕切板と、を備え、前記排気ダクト接続口と給気ダクト接続口は、前記枠体の右側面、左側面、上面、下面のいずれか２以上の面に設けられ、前記排気ダクト接続口と給気ダクト接続口の近傍に排気ダクト接続口と給気ダクト接続口を選択的に閉成する閉成板を設けたことにより、同時給排形換気扇取付装置を取り付ける建物の梁の位置等のレイアウトに応じて枠体の排気ダクト接続口と給気ダクト接続口を設ける面を変更する必要がなく、生産工数および生産コストを下げることができるものであるので、同時給排形換気扇取付装置等として有用である。
【符号の説明】
【００４３】
１    同時給排形換気扇取付装置
２    壁面
３    枠体
４    換気扇取付面
５    壁取付面
６    給気吐出口
７    排気吸込口
８    給気ダクト接続口
９    排気ダクト接続口
１０  給気風路
１１  排気風路
１３  仕切板
１４  右側面
１５  左側面
１６  上面
１７  下面
１８  閉成板
１９  壁面と平行な面
２０  壁面と直交する面
２１  周縁部
４０  給排気一体型ダクト
４１  分離壁部
４２  給気風路
４３  排気風路
５０  同時給排形換気扇
５１  排気部
５２  給気部
６０  貫通口
６１  第一の貫通口
６２  第二の貫通口
７０  同時給排形屋外フード
７１  給気口
７２  排気口
７３  ２層ダクト
８０  給気用屋外フード
８１  給気口
９０  排気用屋外フード
９１  排気口
【図１】
2012211728.tif 000003
【図２】
2012211728.tif 000004
【図３】
2012211728.tif 000005
【図４】
2012211728.tif 000006
【図５】
2012211728.tif 000007
【図６】
2012211728.tif 000008